(57)【要約】【課題】  錆や腐食を発生させることのない金具本体と雪止め横板との接合部を備え、しかも生産性の高い折版屋根の谷部用雪止め金具を提供する。【解決手段】  金具本体１０の上方部分に雪止めアングル材Ｃへの装着部２０を備え、前記金具本体１０の下方部分に雪止め横板３０を備えるようにした折版屋根の谷部用雪止め金具であって、前記金具本体１０と前記雪止め横板３０を高耐食性メッキ鋼板で構成すると共に、前記金具本体１０と前記雪止め横板３０をバーリング加工によって形成したフランジ３０ｂをかしめて接合させたことを特徴とする折版屋根の谷部用雪止め金具。【選択図】  図１
2008025313.tif 000002
【特許請求の範囲】
【請求項１】
金具本体の上方部分に雪止めアングル材への装着部を備え、前記金具本体の下方部分に雪止め横板を備えるようにした折版屋根の谷部用雪止め金具であって、前記金具本体と前記雪止め横板を高耐食性メッキ鋼板で構成すると共に、前記金具本体と前記雪止め横板をバーリング加工によって形成したフランジをかしめて接合させたことを特徴とする折版屋根の谷部用雪止め金具。
【請求項２】
前記金具本体を長手方向に長さを調整自在に構成し、前記雪止めアングル材への装着部と、前記雪止め横板との間隔を調整自在としたことを特徴とする請求項１記載の折版屋根の谷部用雪止め金具。
【請求項３】
前記高耐食性メッキ鋼板は亜鉛・アルミニウム・マグネシウム合金メッキ鋼板、或いは、亜鉛・アルミニウム・マグネシウム・珪素合金メッキ鋼板であることを特徴とする請求項１または２記載の折版屋根の谷部用雪止め金具。
【発明の詳細な説明】
【技術分野】
【０００１】
本発明は、工場、倉庫、或いは、一般家屋等の屋根に用いられている折版屋根に取り付ける雪止め金具に関する。
【背景技術】
【０００２】
従来の折版屋根用雪止め金具として、例えば、特許文献１において、折版屋根の峰部に横架した雪止めアングル材に細長い雪止め板を掛止垂設する雪止め金具が提案されているが、谷部の幅が広いと一つの谷部間に複数の金具の装着が必要となるという不都合を有していた。そこで、これを改良すべく、特許文献２において、金具本体の上方部分に雪止めアングル材への装着部を備え、前記金具本体の下方部分に雪止め横板を備えるようにした折版屋根の谷部用雪止め金具が提案されている。
【０００３】
【特許文献１】実開平２−１４４９２２号公報
【特許文献２】実用新案登録２５８３３６４号公報
【発明の開示】
【発明が解決しようとする課題】
【０００４】
前記特許文献２に開示の雪止め横板の採用で、谷部の幅が広い折版屋根にも対応可能となったが、金具本体と雪止め横板との接合部に錆や腐食が発生するという不都合を有している。即ち、錆や腐食の発生を生じないように、これら金具本体と雪止め横板を高耐食性メッキ鋼板で構成することが考えられるが、これらを防錆に優れるステンレス製鋲などを用いて接合した場合、異種金属間の電位差に基づく電触が生じてしまうというという不都合があった。また、耐食性溶融メッキを施した鋲を用いることも考えられるが、かしめはその鋲を変形させて効力が発揮されるので、その時にメッキが剥がれるなどして、錆びてしまうという問題があった。
そこで、本発明は、錆や腐食を発生させることのない金具本体と雪止め横板との接合部を備え、しかも生産性の高い折版屋根の谷部用雪止め金具を提供することを目的とする。
【課題を解決するための手段】
【０００５】
本発明者は前記課題を解決するべく鋭意検討の結果、金具本体と雪止め横板を高耐食性メッキ鋼板で構成すると共に、前記金具本体と前記雪止め横板をバーリング加工によって形成したフランジをかしめて接合させることにより、錆や腐食を発生させることのない金具本体と雪止め横板との接合部を形成できるという知見を得た。
【０００６】
本発明の折版屋根の谷部用雪止め金具は、前記知見に基づき成されたもので、請求項１記載の通り、金具本体の上方部分に雪止めアングル材への装着部を備え、前記金具本体の下方部分に雪止め横板を備えるようにした折版屋根の谷部用雪止め金具であって、前記金具本体と前記雪止め横板を高耐食性メッキ鋼板で構成すると共に、前記金具本体と前記雪止め横板をバーリング加工によって形成したフランジをかしめて接合させたことを特徴とする。
また、請求項２記載の折版屋根の谷部用雪止め金具は、請求項１記載の折版屋根の谷部用雪止め金具において、前記金具本体を長手方向に長さを調整自在に構成し、前記雪止めアングル材への装着部と、前記雪止め横板との間隔を調整自在としたことを特徴とする。
また、請求項３記載の折版屋根の谷部用雪止め金具は、請求項１または２記載の折版屋根の谷部用雪止め金具において、前記高耐食性メッキ鋼板は亜鉛・アルミニウム・マグネシウム合金メッキ鋼板、或いは、亜鉛・アルミニウム・マグネシウム・珪素合金メッキ鋼板であることを特徴とする。
【発明の効果】
【０００７】
前記金具本体と前記雪止め横板を高耐食性メッキ鋼板で構成すると共に、前記金具本体と前記雪止め横板をバーリング加工によって形成したフランジをかしめて接合させることにより、錆や腐食を発生させることのない金具本体と雪止め横板との接合部を生産性よく形成できる。
また、金具本体を長手方向に長さを調整自在に構成し、雪止めアングルへの装着部と、雪止め横板との間隔を調整自在とすることで、谷部の深さが異なる種々の折版屋根に適応可能となる。
また、前記金具本体と雪止め横板を、亜鉛・アルミニウム・マグネシウム合金メッキ鋼板、或いは、亜鉛・アルミニウム・マグネシウム・珪素合金メッキ鋼板で構成することにより、錆の発生を確実に抑えることができる。
【発明を実施するための最良の形態】
【０００８】
次に、本発明折版屋根の谷部用雪止め金具について、図面に基づき説明する。
図１乃至図５は本発明折版屋根の谷部用雪止め金具の一実施の形態を示すもので、図中１０は金具本体を示し、この金具本体１０の上方部分に雪止めアングル材Ｃへの装着部２０を備え、前記金具本体１０の下方部分に雪止め横板３０を備えるようにした。
【０００９】
前記装着部２０は、高耐食性メッキ鋼板からなる長手板状の金具本体１０の上方端を垂直に折り曲げて庇部１１ａを形成し、この庇部１１ａに連なる金具本体１０の上方部分１１ｂとで、逆Ｌ字状の雪止めアングル材Ａの外面に沿って当接させるよう形成した逆Ｌ字状の当接部１１と、前記逆Ｌ字状の雪止めアングル材Ｃの内面に沿って当接させるようにした高耐食性メッキ鋼板からなる逆Ｌ字状の当接部材１２とで構成されている。そして、前記当接部１１と前記当接部材１２とで、逆Ｌ字状の雪止めアングル材Ｃを挟持した状態で、これら当接部１１と当接部材１２とを根角ボルト１３とナット１４で締め付け固定できるようになっている。尚、図中１５はワッシャを示す。
【００１０】
更に詳細には、前記ボルト１３は当接部材１２に設けたボルト挿通孔１２ａに挿通させた状態で、ボルト頭部１３ａを前記当接部材１２に溶接固定するようにした。このように当接部材１２に立設させたボルト１３を前記当接部１１に設けたボルト挿通孔１１ｄに挿通させた状態で、前記ナット１４を螺着させ、前記当接部１１と前記当接部材１２とを締め付け固定できるようにした。
尚、前記当接部１１の庇部１１ａの先端には、Ｔ字状の係合突起１１ｃが設けられている。また、前記当接部材１２は、垂直部１２ｂと、これに連なる水平部１２ｃとで、アングル材Ｃの内面に沿って当接させることができる逆Ｌ字状に形成され、更に、前記水平部１２ｃの先端側を垂直に上方に向けて折り曲げて折り曲げ部１２ｄを形成するようにした。前記水平部部１２ｃには前記当接部１１の係合突起１１ｃの挿通孔１２ｅが、また、前記折り曲げ部１２ｄには、前記当接部１１の係合突起１１ｃとの係合孔１２ｆがそれぞれ穿設され、当接部材１２を当接部１１に係合できるようにした。
【００１１】
前記金具本体１０の下方部分に設けられた雪止め横板３０は、図３に示すように、前記金具本体１０と前記雪止め横板３０を重ね合わせた状態でバーリング加工を行い、このバーリング加工によって前記雪止め横板３０に設けられたフランジ３０ｂをかしめることにより、前記金具本体１０に接合するようにした。本実施の形態では、バーリング加工による接合を２カ所で行い、雪融け孔３０ａを２個備えるようにした。前記雪融け孔３０ａの直径は１０ｍｍとした。
このように、バーリング加工によって設けられたフランジ３０ｂをかしめることにより、鋲などを用いることなく、高耐食性溶融メッキ鋼板で構成される金具本体１０と雪止め横板３０を直接接合することで、錆や腐食の発生を抑えることができる。
尚、本実施の形態では、バーリング加工によるフランジ３０ｂを前記雪止め横板３０側に形成するようにしたが、金具本体１０側に設けるようにしても構わない。
【００１２】
前記金具本体１０と雪止め横板３０を構成する高耐食性メッキ鋼板としては、亜鉛を主として、これにアルミニウムとマグネシウムを含むメッキ層を備えるものであれば特に制限はないが、高耐食性溶融メッキ鋼板として、亜鉛・アルミニウム・マグネシウム合金メッキ鋼板（日新製鋼製  商品名  ＺＡＭ等）や、亜鉛・アルミニウム・マグネシウム、珪素合金メッキ鋼板（新日鉄製  商品名  スーパーダイマ等）で構成した場合は、錆の発生をより確実に抑えることができるものとなる。
また、本実施の形態では、前記雪融け孔３０ａを２個設けるようにしたが、その個数や、径は任意である。
また、本実施の形態では、雪止めアングル材Ｃへの装着部２０を逆Ｌ字状のアングル材Ｃに装着できるように構成したが、Ｌ字状のアングル材に装着できるように構成することはもとより、任意の形状のアングル材に挿着できように構成可能である。
【００１３】
図５に示すように、前記折版屋根の谷部用雪止め金具Ａは、折版屋根４０の峰部４０ａに横架した逆Ｌ字状の雪止めアングル材Ｃの外周に対して、金具本体１０の当接部１１を当接させ、その後、金具本体１０に係合されている当接部材１２を前記アングル材Ｃの内面に当接させ、これら金具本体１０と当接部材１２とでアングル材Ｃを挟持させた状態で、ボルト１３にナット１４を螺着させることにより、前記アングル材Ｃへの取り付けを完了する。尚、図中４０ｂは折版屋根４０の谷部を示す。
【００１４】
図６は、本発明の折版屋根の谷部用雪止め金具の他の実施の形態を示すもので、前記金具本体１０を長手方向に長さを調整自在に構成し、前記雪止めアングル材Ｃへの装着部２０と、前記雪止め横板３０との間隔を調整自在とした例を示すものである。
前記実施の形態と同一部材には、同一符号を付して、重複する説明は省略するが、本実施の形態では、金具本体１０を長手方向に上下に二分割し、上部金具本体１０Ａと下部金具本体１０Ｂとで構成、下部金具本体１０Ｂに複数個のボルト挿通孔１０ａを設け、上部金具本体１０Ａに設けられたボルト挿通孔１１ｄと重ね合わせるボルト挿通孔１０ａを任意に選び、これら挿通孔１０ａ，１１ｄにボルト１３を挿通させて、ナット１４を螺着させることで、前記雪止めアングル材Ｃへの装着部２０と前記雪止め横板３０との間隔を調整自在としたものである。
【００１５】
尚、図中１１ｅは上部金具本体１０Ａの両側縁を折り返して形成したガイド溝を示し、また、図１０ｂは下部金具本体１０Ｂの両側縁を段状に折り曲げて形成したガイド縁を示すもので、このガイド縁１０ｂ，１０ｂを前記ガイド溝１１ｅ，１１ｅ内に案内し、前記上部金具本体１０Ａと、前記下部金具本体１０Ｂとの摺動による位置合わせを正確に行い、金具本体１０の長さ調節を容易にしたものである。
このように、前記雪止めアングル材Ｃへの装着部２０と、前記雪止め横板３０との間隔を調整自在としたことで、谷部の深さが異なる種々の折版屋根に適応可能としたものである。
【産業上の利用可能性】
【００１６】
本発明は、金具本体の上方部分に雪止めアングル材への装着部を備え、前記金具本体の下方部分に雪止め横板を備えるようにした折版屋根の谷部用雪止め金具であって、錆や腐食が発生させることのない金具本体と雪止め横板との接合部を備えた、生産性の高い折版屋根の谷部用雪止め金具を提供できる点において産業上の利用可能性がある。
【図面の簡単な説明】
【００１７】
【図１】本発明の一実施の形態の分解斜視図
【図２】同正面図
【図３】図２のIII―III線に沿った断面図
【図４】図２のIV―IV線に沿って切断した、同アングル材への装着状態の説明図
【図５】同使用状態の説明図
【図６】本発明の他実施の形態の分解斜視図
【符号の説明】
【００１８】
１０    金具本体
１０Ａ  上部金具本体
１０Ｂ  下部金具本体
１１    当接部
１２    当接部材
１３    ボルト
１４    ナット
２０    装着部
３０    雪止め横板
３０ａ  雪融け孔
３０ｂ  フランジ
Ａ    雪止め金具
Ｃ    雪止めアングル材
４０    折版屋根
４０ｂ  谷部
【図１】
2008025313.tif 000003
【図２】
2008025313.tif 000004
【図３】
2008025313.tif 000005
【図４】
2008025313.tif 000006
【図５】
2008025313.tif 000007
【図６】
2008025313.tif 000008